(57)【特許請求の範囲】
【請求項１】
利用者からの操作の入力を受け付ける操作手段と、
出力部を制御して、前記操作手段によって受け付けられた入力に基づいて、第１コンテンツを出力する制御手段と、
他装置によって送信された前記第１コンテンツとは異なる第２コンテンツの出力指示を受け付ける受付手段と、
前記利用者から、前記他装置によって送信された前記出力指示に基づいて前記第２コンテンツを出力するか否かの選択を受け付ける選択手段と、
を備え、
前記制御手段は、前記受付手段によって前記出力指示を受け付けたときに、前記選択手段によって前記出力指示に基づいて前記第２コンテンツを出力しない選択を受け付けている場合、前記出力部を制御して、前記出力指示に関わらず、前記操作手段によって受け付けられた入力に基づいて、前記第１コンテンツを出力することを特徴とするコンテンツ出力装置。
【請求項２】
前記制御手段は、前記受付手段によって前記出力指示を受け付けたときに、前記選択手段によって前記出力指示に基づいて前記第２コンテンツを出力する選択を受け付けている場合、前記出力部を制御して、前記操作手段によって受け付けられた入力に関わらず、前記出力指示に基づいて、前記第２コンテンツを出力することを特徴とする請求項１に記載のコンテンツ出力装置。
【請求項３】
前記受付手段によって受け付けられた前記出力指示を送信した前記他装置を複数の前記他装置の中から特定する特定手段をさらに備え、
前記選択手段は、所定の前記他装置によって送信された前記出力指示に基づいて前記第２コンテンツを出力するか否かの選択を受け付け、
前記制御手段は、前記受付手段によって前記出力指示を受け付けたときに、前記特定手段によって前記出力指示を送信した前記他装置が所定の前記他装置であると特定され、かつ前記選択手段によって前記出力指示に基づいて前記第２コンテンツを出力しない選択を受け付けている場合、前記出力部を制御して、前記出力指示に関わらず、前記操作手段によって受け付けられた入力に基づいて、前記第１コンテンツを出力することを特徴とする請求項１または２に記載のコンテンツ出力装置。
【請求項４】
前記受付手段によって受け付けられた前記出力指示を送信した前記他装置に関連付けられた属性を判断する判断手段をさらに備え、
前記選択手段は、所定の属性が関連付けられた前記他装置によって送信された前記出力指示に基づいて前記第２コンテンツを出力するか否かの選択を受け付け、
前記制御手段は、前記受付手段によって前記出力指示を受け付けたときに、前記判断手段によって前記出力指示を送信した前記他装置に所定の属性が関連付けられていると判断され、かつ前記選択手段によって前記出力指示に基づいて前記第２コンテンツを出力しない選択を受け付けている場合、前記出力部を制御して、前記出力指示に関わらず、前記操作手段によって受け付けられた入力に基づいて、前記第１コンテンツを出力することを特徴とする請求項１〜３のいずれか一つに記載のコンテンツ出力装置。
【請求項５】
前記制御手段は、前記他装置によって送信された前記出力指示に基づいて、前記第２コンテンツを出力している最中には、前記選択手段によって前記出力指示に基づいて前記第２コンテンツを出力しない選択を受け付けても、当該出力指示に基づいた前記第２コンテンツの出力を継続することを特徴とする請求項１〜４のいずれか一つに記載のコンテンツ出力装置。
【請求項６】
利用者からの操作の入力を受け付ける操作手段と、
出力部を制御して、前記操作手段によって受け付けられた入力に基づいて、第１映像情報を出力させる制御手段と、
他装置によって送信された前記第１映像情報とは異なる第２映像情報の出力指示を受け付ける受付手段と、
前記利用者から、前記他装置によって送信された前記出力指示に基づいて前記第２映像情報を出力させるか否かの選択を受け付ける選択手段と、
を備え、
前記制御手段は、前記受付手段によって前記出力指示を受け付けたときに、前記選択手段によって前記出力指示に基づいて前記第２映像情報を出力させない選択を受け付けている場合、前記出力部を制御して、前記出力指示に関わらず、前記操作手段によって受け付けられた入力に基づいて、前記第１映像情報を出力させることを特徴とするコンテンツ出力装置。
【請求項７】
利用者からの操作の入力を受け付ける操作部と、出力部を制御して、当該操作部によって受け付けられた入力に基づいて、第１コンテンツを出力する制御部とを備えるコンテンツ出力装置におけるコンテンツ出力方法であって、
他装置によって送信された前記第１コンテンツとは異なる第２コンテンツの出力指示を受け付ける受付工程と、
前記利用者から、前記他装置によって送信された前記出力指示に基づいて前記第２コンテンツを出力するか否かの選択を受け付ける選択工程と、
前記受付工程によって前記出力指示を受け付けたときに、前記選択工程によって前記出力指示に基づいて前記第２コンテンツを出力しない選択を受け付けている場合、前記出力部を制御して、前記出力指示に関わらず、前記操作部によって受け付けられた入力に基づいて、前記第１コンテンツを出力する制御工程と、
を含むことを特徴とするコンテンツ出力方法。
【請求項８】
請求項７に記載のコンテンツ出力方法をコンピュータに実行させることを特徴とするコンテンツ出力プログラム。
【請求項９】
請求項８に記載のコンテンツ出力プログラムを記録したことを特徴とするコンピュータに読み取り可能な記録媒体。
【発明の詳細な説明】
【技術分野】
【０００１】
この発明は、他装置と連動することを防止する機能を有するコンテンツ出力装置、コンテンツ出力システム、コンテンツ出力方法、コンテンツ出力プログラムおよび記録媒体に関する。ただし、この発明の利用は、上述したコンテンツ出力装置、コンテンツ出力システム、コンテンツ出力方法、コンテンツ出力プログラムおよび記録媒体には限られない。
【背景技術】
【０００２】
従来、複数の音響ユニットと、音響ユニットに対して操作指示をおこなう前席側操作ユニットおよび後席側操作ユニットを備え、それぞれの操作ユニットに情報処理部を設けた音響システムが提案されている。このような音響システムにおいては、後席側操作ユニットが第１動作モードまたは第２動作モードを選択的に設定する操作キーを備えた操作部を有しているものもある（たとえば、下記特許文献１参照。）。この音響システムにおける後席側操作ユニットでは、第１動作モードが設定されたときは、後席側の情報処理部に出力されているオーディオ／映像情報にかかる音響ユニットの動作を制御し、第２動作モードが設定されたときは、前席側の操作部からの操作指示にかかる制御と連動して、前席側の情報処理部に出力されているオーディオ／映像情報にかかる音響ユニットを制御する。
【０００３】
また、前席に対して設置された前席側操作ユニットの備えるディスプレイに、前席側音響システムと後席側音響システムとが連動して、同一の入力ソースから出力される音楽信号および映像信号を制御することができる前後席連動モードに設定可能な前後席連動設定ボタンが、設けられている車両用音響システムが提案されている（たとえば、下記特許文献２参照。）。この車両用音響システムは、前席用操作ユニットのみに前後席連動設定ボタンが設けられているため、後席側では前後席連動モードに設定できず、後席側からの誤操作によるシステムの誤動作を防止する。
【先行技術文献】
【特許文献】
【０００４】
【特許文献１】特開２００２−１３３８４０号公報
【特許文献２】特開２００５−０９６６０１号公報
【発明の概要】
【発明が解決しようとする課題】
【０００５】
しかしながら、上述した特許文献１または２の技術では、後席側または前席側の操作ユニット（第１操作ユニット）から異なる席に対して設置された操作ユニット（第２操作ユニット）に第１操作ユニットと連動した制御をおこなう指示を送ることはできるが、第２操作ユニットにおいては、第２操作ユニットが備える操作部において操作の入力があっても、自動的に第１操作ユニットと連動した制御に切り替えられてしまうという問題がある。このため、第２操作ユニットを利用している利用者が、自身の所望するコンテンツを視聴していて、第１操作ユニットとの連動した制御をおこなわせたくない場合でも、強制的に第１操作ユニットによって制御されたコンテンツ切り替えられてしまい、煩わしいという問題がある。
【課題を解決するための手段】
【０００６】
上述した課題を解決し、目的を達成するため、請求項１の発明にかかるコンテンツ出力装置は、利用者からの操作の入力を受け付ける操作手段と、出力部を制御して、前記操作手段によって受け付けられた入力に基づいて、第１コンテンツを出力する制御手段と、他装置によって送信された前記第１コンテンツとは異なる第２コンテンツの出力指示を受け付ける受付手段と、前記利用者から、前記他装置によって送信された前記出力指示に基づいて前記第２コンテンツを出力するか否かの選択を受け付ける選択手段と、を備え、前記制御手段は、前記受付手段によって前記出力指示を受け付けたときに、前記選択手段によって前記出力指示に基づいて前記第２コンテンツを出力しない選択を受け付けている場合、前記出力部を制御して、前記出力指示に関わらず、前記操作手段によって受け付けられた入力に基づいて、前記第１コンテンツを出力することを特徴とする。
【０００７】
また、請求項６の発明にかかるコンテンツ出力装置は、利用者からの操作の入力を受け付ける操作手段と、出力部を制御して、前記操作手段によって受け付けられた入力に基づいて、第１映像情報を出力させる制御手段と、他装置によって送信された前記第１映像情報とは異なる第２映像情報の出力指示を受け付ける受付手段と、前記利用者から、前記他装置によって送信された前記出力指示に基づいて前記第２映像情報を出力させるか否かの選択を受け付ける選択手段と、を備え、前記制御手段は、前記受付手段によって前記出力指示を受け付けたときに、前記選択手段によって前記出力指示に基づいて前記第２映像情報を出力させない選択を受け付けている場合、前記出力部を制御して、前記出力指示に関わらず、前記操作手段によって受け付けられた入力に基づいて、前記第１映像情報を出力させることを特徴とする。
【０００８】
また、請求項７の発明にかかるコンテンツ出力方法は、利用者からの操作の入力を受け付ける操作部と、出力部を制御して、当該操作部によって受け付けられた入力に基づいて、第１コンテンツを出力する制御部とを備えるコンテンツ出力装置におけるコンテンツ出力方法であって、他装置によって送信された前記第１コンテンツとは異なる第２コンテンツの出力指示を受け付ける受付工程と、前記利用者から、前記他装置によって送信された前記出力指示に基づいて前記第２コンテンツを出力するか否かの選択を受け付ける選択工程と、前記受付工程によって前記出力指示を受け付けたときに、前記選択工程によって前記出力指示に基づいて前記第２コンテンツを出力しない選択を受け付けている場合、前記出力部を制御して、前記出力指示に関わらず、前記操作部によって受け付けられた入力に基づいて、前記第１コンテンツを出力する制御工程と、を含むことを特徴とする。
【０００９】
また、請求項８の発明にかかるコンテンツ出力プログラムは、請求項７に記載のコンテンツ出力方法をコンピュータに実行させることを特徴とする。
【００１０】
また、請求項９の発明にかかる記録媒体は、請求項８に記載のコンテンツ出力プログラムをコンピュータに読み取り可能な状態で記録したことを特徴とする。
【図面の簡単な説明】
【００１１】
【図１】本実施の形態にかかるコンテンツ出力装置の機能的構成を示すブロック図である。
【図２】コンテンツ出力装置のコンテンツ出力処理手順を示すフローチャートである。
【図３】本実施例にかかるコンテンツ出力システムの概要について示す説明図である。
【図４】本実施例にかかる各操作ユニットのハードウェア構成を示すブロック図である。
【図５】各操作ユニットの処理の内容を示すフローチャートである。
【図６】複数の操作ユニットを用いたコンテンツ出力システムについて示す説明図である。
【図７】複数の操作ユニットを用いたコンテンツ出力システムについて示す説明図である。
【発明を実施するための形態】
【００１２】
以下に添付図面を参照して、この発明にかかるコンテンツ出力装置、コンテンツ出力システム、コンテンツ出力方法、コンテンツ出力プログラムおよび記録媒体の好適な実施の形態を詳細に説明する。
【００１３】
（実施の形態）
（コンテンツ出力装置の機能的構成）
まず、この発明の実施の形態にかかるコンテンツ出力装置１００の機能的構成について説明する。図１は、本実施の形態にかかるコンテンツ出力装置の機能的構成を示すブロック図である。
【００１４】
図１において、コンテンツ出力装置１００は、出力部１０１と、操作部１０２と、受付部１０３と、特定部１０４と、判断部１０５と、選択部１０６と、制御部１０７と、送信部１０８と、を備えている。出力部１０１は、コンテンツを出力する表示画面やスピーカを備えている。
【００１５】
ここで、コンテンツは、具体的には、たとえばＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、ＨＤ（ハードディスク）、テレビ放送、ラジオ放送、ポータブルオーディオ機器などのソースに含まれている個々のデータである。各コンテンツは、コンテンツ出力装置１００に保持されていてもよいし、外部に保持され、ネットワークを介してコンテンツ出力装置１００から出力される構成でもよい。コンテンツには、たとえば音楽やラジオ番組などの音声情報のみのものと、映画やテレビ番組などの音声情報および映像情報が関連付けられたものがある。また、コンテンツは、地図情報などの映像情報のみのものでもよい。
【００１６】
操作部１０２は、利用者からの操作の入力を受け付ける。操作部１０２は、具体的には、利用者からコンテンツを出力するための操作の入力を受け付ける。コンテンツを出力するための操作の入力は、具体的には、たとえばソースおよびコンテンツの選択、コンテンツの再生処理などの入力である。
【００１７】
受付部１０３は、他装置によって送信されたコンテンツの出力指示を受け付ける。すなわち、受付部１０３は、他装置から連動モードの命令を受け付ける。ここで、連動モードとは、操作部１０２による操作に関わらず、他装置に出力されているコンテンツと同一のコンテンツを自装置の出力部１０１に出力する機能である。他装置とは、他のコンテンツ出力装置１００（たとえば、第１コンテンツ出力装置）でもよいし、コンテンツ出力装置１００以外の装置でもよい。
【００１８】
特定部１０４は、受付部１０３によって受け付けられた出力指示を送信した他装置を複数の他装置の中から特定する。特定部１０４は、具体的には、たとえば車両内に複数のコンテンツ出力装置１００が設置されている場合、前席に設置された他のコンテンツ出力装置１００か、後席に設置された他のコンテンツ出力装置１００かを特定する。
【００１９】
判断部１０５は、受付部１０３によって受け付けられた出力指示を送信した他装置に関連付けられた属性を判断する。すなわち、判断部１０５は、複数の他装置がグループ分けされている場合、それぞれの他装置に対して、いずれのグループに属するかを判断する。判断部１０５は、具体的には、たとえば出力指示を送信した他装置が、自装置の設置された車両と同一の車両内に設置された他のコンテンツ出力装置１００か否かを判断する。
【００２０】
選択部１０６は、利用者から、他装置によって送信された出力指示に基づいてコンテンツを出力するか否かの選択を受け付ける。選択部１０６は、具体的には、たとえば他装置の命令により連動モードへ切り替えるか、連動モードへの切り替えを防止するかのいずれかの選択を受け付ける。
【００２１】
選択部１０６は、特定部１０４によって出力指示を送信した他装置が特定された場合、所定の他装置によって送信された出力指示に基づいてコンテンツを出力するか否かの選択を受け付けてもよい。すなわち、選択部１０６は、たとえば利用者から、複数の他装置のそれぞれに対して、連動モードへの切り替えを受け付けるか、連動モードへの切り替えを防止するかのいずれかの選択を受け付けてもよい。
【００２２】
また、選択部１０６は、判断部１０５によって出力指示を送信した他装置に関連付けられた属性が判断された場合、所定の属性が関連付けられた他装置によって送信された出力指示に基づいてコンテンツを出力するか否かの選択を受け付けてもよい。すなわち、選択部１０６は、たとえばグループが複数ある場合、それぞれのグループに対して、連動モードへの切り替えを受け付けるか、連動モードへの切り替えを防止するかのいずれかの選択を受け付けてもよい。
【００２３】
制御部１０７は、出力部１０１を制御して、操作部１０２によって受け付けられた入力に基づいて、コンテンツを出力する。制御部１０７は、受付部１０３によって出力指示を受け付けたときに、選択部１０６によって出力指示に基づいてコンテンツを出力しない選択を受け付けている場合、出力部１０１を制御して、出力指示に関わらず、操作部１０２によって受け付けられた入力に基づいて、コンテンツを出力する。制御部１０７は、具体的には、たとえば受付部１０３によって連動モードの命令を受け付けても、選択部１０６によって連動モードへの切り替えを防止する選択が受け付けられている場合、連動モードに切り替えず、操作部１０２によって受け付けた操作の入力に基づいてコンテンツを出力する。
【００２４】
制御部１０７は、受付部１０３によって出力指示を受け付けたときに、選択部１０６によって出力指示に基づいてコンテンツを出力する選択を受け付けている場合、出力部１０１を制御して、操作部１０２によって受け付けられた入力に関わらず、出力指示に基づいて、コンテンツを出力する。制御部１０７は、具体的には、たとえば受付部１０３によって連動モードの命令を受け付けたときに、選択部１０６によって連動モードへの切り替えを防止する選択が受け付けられていない場合、連動モードに切り替える。
【００２５】
制御部１０７は、受付部１０３によって出力指示を受け付けたときに、特定部１０４によって出力指示を送信した他装置が所定の他装置であると特定され、かつ選択部１０６によって出力指示に基づいてコンテンツを出力しない選択を受け付けている場合、出力部１０１を制御して、出力指示に関わらず、操作部１０２によって受け付けられた入力に基づいて、コンテンツを出力する。すなわち、制御部１０７は、たとえば所定の他装置から連動モードの命令を受け付けた場合、連動モードへの切り替えを防止する。
【００２６】
制御部１０７は、受付部１０３によって出力指示を受け付けたときに、判断部１０５によって出力指示を送信した他装置に所定の属性が関連付けられていると判断され、かつ選択部１０６によって出力指示に基づいてコンテンツを出力しない選択を受け付けている場合、出力部１０１を制御して、出力指示に関わらず、操作部１０２によって受け付けられた入力に基づいて、コンテンツを出力する。すなわち、制御部１０７は、たとえば所定のグループに属する他装置から連動モードの命令を受け付けた場合、連動モードへの切り替えを防止する。
【００２７】
制御部１０７は、他装置によって送信された出力指示に基づいて、コンテンツを出力している最中には、選択部１０６によって出力指示に基づいてコンテンツを出力しない選択を受け付けても、出力指示に基づいたコンテンツの出力を継続する。すなわち、制御部１０７は、たとえば他装置からの連動モードの命令により、連動モードを継続している間は、連動モードの解除をおこなわない。
【００２８】
送信部１０８は、出力部１０１に出力しているコンテンツの出力指示を、他のコンテンツ出力装置１００（たとえば、第２コンテンツ出力装置）に送信する。すなわち、送信部１０８は、たとえば連動モードの命令を他装置へ送信する。また、送信部１０８は、たとえば同一の車両内に複数のコンテンツ出力装置１００が設置されている場合、同一車両内に設置された複数のコンテンツ出力装置１００のうちの一のコンテンツ出力装置１００のみに備えられていてもよい。したがって、たとえばコンテンツ出力装置１００（第１コンテンツ出力装置）が送信部１０８によってコンテンツの出力指示を送信し、他のコンテンツ出力装置１００（第２コンテンツ出力装置）が受付部１０３によってこのコンテンツの出力指示を受け付けることでコンテンツ出力システムが実施される。
【００２９】
（コンテンツ出力装置のコンテンツ出力処理手順）
つぎに、コンテンツ出力装置１００のコンテンツ出力処理手順について説明する。図２は、コンテンツ出力装置のコンテンツ出力処理手順を示すフローチャートである。図２のフローチャートにおいて、まず、受付部１０３によって、他装置によって送信されたコンテンツの出力指示を受け付けたか否かを判断する（ステップＳ２０１）。
【００３０】
ステップＳ２０１において他装置によって送信されたコンテンツの出力指示を受け付けた場合（ステップＳ２０１：Ｙｅｓ）、選択部１０６によって、利用者から、他装置によって送信された出力指示に基づいてコンテンツを出力しない選択を受け付けたか否かを判断する（ステップＳ２０２）。
【００３１】
ステップＳ２０２において利用者から、他装置によって送信された出力指示に基づいてコンテンツを出力しない選択を受け付けている場合（ステップＳ２０２：Ｙｅｓ）、またはステップＳ２０１において他装置によって送信されたコンテンツの出力指示を受け付けていない場合（ステップＳ２０１：Ｎｏ）、操作部１０２によって利用者からの操作の入力を受け付けているか否かを判断する（ステップＳ２０３）。
【００３２】
ステップＳ２０３において利用者からの操作の入力を受け付けている場合（ステップＳ２０３：Ｙｅｓ）、制御部１０７によって出力部１０１を制御して、ステップＳ２０１において他装置によって送信されたコンテンツの出力指示を受け付けたか否かに関わらず、ステップＳ２０３において受け付けられた入力に基づいて、コンテンツを出力して（ステップＳ２０４）、一連の処理を終了する。
【００３３】
一方、ステップＳ２０２において利用者から、他装置によって送信された出力指示に基づいてコンテンツを出力する選択を受け付けている場合（ステップＳ２０２：Ｎｏ）、制御部１０７によって出力部を制御して、操作部１０２によって利用者からの操作を受け付けているか否かに関わらず、ステップＳ２０１において受け付けた出力指示に基づいて、コンテンツを出力して（ステップＳ２０５）、一連の処理を終了する。また、ステップＳ２０３において利用者からの操作の入力を受け付けていない場合（ステップＳ２０３：Ｎｏ）、コンテンツを出力せず、そのまま一連の処理を終了する。
【００３４】
なお、図２のフローチャートにおいては、ステップＳ２０２において、特定部１０４によって出力指示を送信した他装置が所定の他装置であると特定され、かつ選択部１０６によって出力指示に基づいてコンテンツを出力しない選択を受け付けているか否かを判断してもよい。また、ステップＳ２０２において、判断部１０５によって出力指示を送信した他装置に所定の属性が関連付けられていると判断され、かつ選択部１０６によって出力指示に基づいてコンテンツを出力しない選択を受け付けているか否かを判断してもよい。
【００３５】
また、図２のフローチャートにおいては、ステップＳ２０２：Ｙｅｓにおいて、出力指示に基づいてコンテンツを出力しない選択を受け付けた場合でも、他装置によって送信された出力指示に基づいて、コンテンツを出力している最中には、出力指示に基づいたコンテンツの出力を継続するようにしてもよい。
【００３６】
上述したように、本実施の形態のコンテンツ出力装置１００によれば、受付部１０３によって出力指示を受け付けたときに、選択部１０６によって出力指示に基づいてコンテンツを出力しない選択を受け付けている場合、制御部１０７によって出力部１０１を制御して、出力指示に関わらず、操作部１０２によって受け付けられた入力に基づいて、コンテンツを出力する。したがって、連動を防止する設定をしておけば、他の装置から連動モードの命令を受け付けても、連動モードに切り替えず、自装置における操作によってコンテンツを出力することができる。これによって、利用者は、自装置において所望のコンテンツを視聴しており、他装置と連動させたくない場合、他装置によって連動の指示がなされても、所望のコンテンツの視聴を継続することができる。
【００３７】
また、本実施の形態のコンテンツ出力装置１００によれば、受付部１０３によって出力指示を受け付けたときに、選択部１０６によって出力指示に基づいてコンテンツを出力する選択を受け付けている場合、制御部１０７によって出力部１０１を制御して、操作部１０２によって受け付けられた入力に関わらず、出力指示に基づいて、コンテンツを出力する。したがって、連動を防止する設定をしていない場合は、他装置から連動モードの命令を受け付けたときに、連動モードに切り替えることができる。これによって、利用者は、他装置と連動したコンテンツを楽しむことができる。
【００３８】
また、本実施の形態のコンテンツ出力装置１００によれば、受付部１０３によって出力指示を受け付けたときに、特定部１０４によって出力指示を送信した他装置が所定の他装置であると特定され、かつ選択部１０６によって出力指示に基づいてコンテンツを出力しない選択を受け付けている場合、出力部１０１を制御して、出力指示に関わらず、操作部１０２によって受け付けられた入力に基づいて、コンテンツを出力することができる。したがって、たとえば車両内に設置された複数のコンテンツ出力装置のうち前席に対して設置されたコンテンツ出力装置からのみ連動モードの命令を受け付けることができる。これによって、利用者は、たとえば後席に座っている子供などが間違って連動モードの設定をおこなうことを防ぎ、自装置の誤動作を防止することができる。
【００３９】
また、本実施の形態のコンテンツ出力装置１００によれば、受付部１０３によって出力指示を受け付けたときに、判断部１０５によって出力指示を送信した他装置に所定の属性が関連付けられていると判断され、かつ選択部１０６によって出力指示に基づいてコンテンツを出力しない選択を受け付けている場合、制御部１０７によって出力部１０１を制御して、出力指示に関わらず、操作部１０２によって受け付けられた入力に基づいて、コンテンツを出力することができる。したがって、たとえば同一の車両内に設置された他装置からのみ連動モードの命令を受け付けることができる。これによって、利用者は、たとえば他の車両に設置された他装置からの連動モードの命令を誤って受け付けた場合に、連動モードに切り替えることを防ぎ、自装置の誤動作を防止することができる。
【００４０】
また、本実施の形態のコンテンツ出力装置１００によれば、他装置によって送信された出力指示に基づいて、コンテンツを出力している最中には、選択部１０６によって出力指示に基づいてコンテンツを出力しない選択を受け付けても、制御部１０７によってこの出力指示に基づいたコンテンツの出力を継続することができる。これによって、利用者は、連動モードに切り替えた後に、誤って連動モードを中止することを防ぎ、最後までコンテンツを楽しむことができる。
【実施例】
【００４１】
以下に、本発明の実施例について説明する。本実施例では、たとえば、車両（四輪車、二輪車を含む）などの移動体に搭載されるナビゲーション装置の備える複数の操作ユニットによって、本発明のコンテンツ出力装置を実施した場合の一例について説明する。
【００４２】
（コンテンツ出力システムの概要）
まず、本実施例にかかるコンテンツ出力システムの概要について説明する。図３は、本実施例にかかるコンテンツ出力システムの概要について示す説明図である。図３に示すように、コンテンツ出力システム３００は、ナビゲーション装置の備える、複数の操作ユニット（たとえば第１操作ユニット３１０〜第５操作ユニット３５０）によって構成されている。具体的には、たとえば第１操作ユニット（メイン操作ユニット）３１０は、運転席３０１および助手席３０２などの前席に対して設置されている。第２操作ユニット３２０は第１後部座席３０３に対して、第３操作ユニット３３０は第２後部座席３０４に対して、第４操作ユニット３４０は第３後部座席３０５に対して、第５操作ユニット３５０は第４後部座席３０６に対して設置されている。
【００４３】
各操作ユニット（第１操作ユニット３１０〜第５操作ユニット３５０）は、それぞれ後述するディスプレイ４１３、スピーカ４１０および入力デバイス４１１と、連動選択スイッチ３１１および連動防止スイッチ３１２を備えている。また、各操作ユニットは、互いに有線または無線により接続されている。さらに、各操作ユニットは、それぞれに備える入力デバイス４１１からの入力に応じて、それぞれに備えるディスプレイ４１３やスピーカ４１０に異なるコンテンツを出力する。
【００４４】
連動選択スイッチ３１１は、他の操作ユニットから連動モードの命令を受信するとＯＮに設定される。連動モードの命令とは、自装置において出力されているコンテンツと同一のコンテンツを他の操作ユニットに出力させる命令である。連動モードの命令は、たとえばメイン操作ユニット３１０からのみ出力可能でもよい。
【００４５】
連動防止スイッチ３１２は、他の操作ユニットから連動モードの命令を受け付けたときに、連動モードに切り替えることを防止する指示を利用者から受け付けるとＯＮに設定される。連動防止スイッチ３１２がＯＮに設定されている場合、連動モードの命令を受け付けても連動モードに切り替えず、連動選択スイッチ３１１をＯＦＦに設定させることができる。
【００４６】
（各操作ユニットのハードウェア構成）
つぎに、本実施例にかかる各操作ユニット（第１操作ユニット３１０〜第５操作ユニット３５０）のハードウェア構成について説明する。図４は、本実施例にかかる各操作ユニットのハードウェア構成を示すブロック図である。図４において、各操作ユニットは、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、放送受信機４０８と、音声Ｉ／Ｆ（インターフェース）４０９と、スピーカ４１０と、入力デバイス４１１と、映像Ｉ／Ｆ４１２と、ディスプレイ４１３と、通信Ｉ／Ｆ４１４と、を備えている。各構成部４０１〜４１４は、バス４２０によってそれぞれ接続されている。
【００４７】
まず、ＣＰＵ４０１は、各操作ユニットの全体の制御を司る。ＲＯＭ４０２は、ブートプログラム、データ更新プログラム、連動モード命令送信プログラム、連動モード切替プログラム、連動防止プログラムなどのプログラムを記録している。また、ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、各操作ユニットの全体の制御を司る。
【００４８】
連動モード命令送信プログラムは、たとえば利用者からの指示に応じて、連動モードの設定をＯＮにしたい他の操作ユニットに、連動モードの命令を送信させる。
【００４９】
連動モード切替プログラムは、他の操作ユニットから連動モードの命令を受け付けた場合に、自装置の連動選択スイッチ３１１をＯＮに設定させる。そして、受け付けた連動モードの命令に基づいて、ディスプレイ４１３やスピーカ４１０からコンテンツを出力させる。
【００５０】
連動防止プログラムは、利用者からの操作の入力によって連動防止スイッチ３１２がＯＮに設定されているときに、他の操作ユニットから連動モードの命令を受け付けた場合、自装置の連動選択スイッチ３１１をＯＮに設定せず、ＯＦＦの設定のままにさせる。すなわち、連動防止プログラムは、他の操作ユニットから連動モードの命令を受け付けても、連動防止スイッチ３１２がＯＮに設定されている場合、連動モード切替プログラムを実行させない。そして、入力デバイス４１１からの操作の入力を受け付けている場合は、この入力に基づいて、コンテンツを出力させる。
【００５１】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００５２】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。着脱可能な記録媒体として、光ディスク４０７のほか、ＭＯ、メモリカードなどであってもよい。
【００５３】
磁気ディスク４０５および光ディスク４０７に記録される情報の一例としては、コンテンツが挙げられる。ここで、コンテンツは、具体的には、たとえばポータブルオーディオ機器やＨＤなどの磁気ディスク４０５に記録された音声情報や映像情報、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）などの光ディスク４０７に記録された音声情報や映像情報である。また、放送受信機４０８によって受信したテレビ番組やラジオ番組が記録されていてもよい。コンテンツには、たとえば音楽やラジオ番組などの音声情報のみのものと、映画やテレビ番組などの音声情報および映像情報が関連付けられたものがある。また、コンテンツは、地図データなどの映像情報のみのものでもよい。
【００５４】
地図データは、建物、河川、地表面などの地物（フィーチャ）をあらわす背景データと、道路の形状をあらわす道路形状データとを含んでおり、地区ごとに分けられた複数のデータファイルによって構成されている。
【００５５】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００５６】
また、地図データとともに機能データが記録されていてもよく、機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。
【００５７】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。
【００５８】
なお、各操作ユニットは、図示を省略するが、フラッシュメモリを備えていてもよい。フラッシュメモリは、書き換え自在な不揮発性半導体メモリであり、ＣＰＵ４０１の制御にしたがってデータの読み取り／書き込みをおこなう。フラッシュメモリには、たとえば、ＮＡＮＤ型フラッシュメモリやＮＯＲ型フラッシュメモリなどを用いることができる。フラッシュメモリに記録される情報の一例としては、上述した映像情報や音声情報、文字情報または地図情報や機能データなどが挙げられる。また、フラッシュメモリは、ＲＯＭ４０２としての機能を有していてもよい。すなわち、フラッシュメモリは、上述の各プログラムを記録していてもよい。
【００５９】
放送受信機４０８は、テレビ放送波やラジオ放送波を受信する。放送受信機４０８は、放送局からテレビ放送波やラジオ放送波を受信するアンテナ部、選局された番組のテレビ放送波またはラジオ放送波をアンテナ部から受信し、デジタル信号に変換するチューナー部、チューナー部により変換されたデジタル信号を映像情報や音声情報に分離するデコード部などを備えている。
【００６０】
磁気ディスクドライブ４０４、磁気ディスク４０５、光ディスクドライブ４０６、光ディスク４０７、放送受信機４０８は、各操作ユニットにそれぞれ備えられていてもよいし、同一のナビゲーション装置が備える全ての操作ユニットに共通して備えられていてもよい。また、操作ユニットの外部に備えられていてもよく、この場合、ネットワークを介して接続されていてもよい。
【００６１】
音声Ｉ／Ｆ４０９は、音声出力用のスピーカ４１０に接続される。スピーカ４１０からは、所定の音声信号を音声Ｉ／Ｆ４０９内でＤ／Ａ変換した音声が出力される。
【００６２】
入力デバイス４１１は、文字、数値、各種指示などの入力のための複数のキーを備えたリモコン、キーボード、タッチパネルなどが挙げられる。入力デバイス４１１は、リモコン、キーボード、タッチパネルのうちいずれか１つの形態によって実現されてもよいが、複数の形態によって実現することも可能である。各操作ユニットは、入力デバイス４１１からの操作の入力に基づいて、磁気ディスク４０５または光ディスク４０７に記録されているコンテンツや放送受信機４０８によって受信したコンテンツを、ディスプレイ４１３やスピーカ４１０に出力させる。
【００６３】
映像Ｉ／Ｆ４１２は、ディスプレイ４１３に接続される。映像Ｉ／Ｆ４１２は、具体的には、たとえば、ディスプレイ４１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ４１３を制御する制御ＩＣなどによって構成される。
【００６４】
ディスプレイ４１３には、アイコン、カーソル、メニュー、ウインドウ、あるいは文字や画像などの各種データが表示される。ディスプレイ４１３には、上述した映像情報が表示される。また、地図データが、２次元または３次元に描画されてもよい。ディスプレイ４１３に表示された地図データには、各操作ユニットを備えるナビゲーション装置を搭載した車両の現在位置をあらわすマークなどを重ねて表示することができる。車両の現在位置は、ＣＰＵ４０１によって算出される。
【００６５】
ディスプレイ４１３としては、たとえば、ＣＲＴ、ＴＦＴ液晶ディスプレイ、プラズマディスプレイなどを用いることができる。ディスプレイ４１３は、たとえば、図３に示すように、車両のダッシュボード付近や車両の後部座席周辺など、各座席に座った利用者が視聴可能な位置に設置される。
【００６６】
通信Ｉ／Ｆ４１４は、無線を介してネットワークに接続され、各操作ユニットと各ＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。通信網には、ＬＡＮ、ＷＡＮ、公衆回線網や携帯電話網などがある。具体的には、通信Ｉ／Ｆ４１４は、たとえば、ＦＭチューナーなどによって構成される。また、通信Ｉ／Ｆ４１４は、各操作ユニット間における連動モードの命令の送受信をおこなう。
【００６７】
図１に示したコンテンツ出力装置１００が備える出力部１０１、操作部１０２、受付部１０３、特定部１０４、判断部１０５、選択部１０６、制御部１０７、送信部１０８は、図４に示した各操作ユニットにおけるＲＯＭ４０２、ＲＡＭ４０３、磁気ディスク４０５、光ディスク４０７などに記録されたプログラムやデータを用いて、ＣＰＵ４０１が所定のプログラムを実行し、各操作ユニットにおける各部を制御することによってその機能を実現する。
【００６８】
すなわち、実施例の各操作ユニットは、各操作ユニットにおける記録媒体としてのＲＯＭ４０２に記録されているコンテンツ出力プログラムを実行することにより、図１に示したコンテンツ出力装置１００が備える機能を、図２に示したコンテンツ出力処理手順で実行することができる。
【００６９】
（各操作ユニットの処理の内容）
つぎに、各操作ユニットの処理の内容について説明する。図５は、各操作ユニットの処理の内容を示すフローチャートである。図５のフローチャートにおいて、まず、他の操作ユニットから連動モードの命令を受け付けたか否かを判断する（ステップＳ５０１）。ステップＳ５０１において連動モードの命令を受け付けた場合（ステップＳ５０１：Ｙｅｓ）、連動モードの命令を送信した装置が所定のグループに属しているか否かを判断する（ステップＳ５０２）。ステップＳ５０２においては、具体的には、たとえば同一のナビゲーション装置に備えられた操作ユニットか否かを判断する。
【００７０】
ステップＳ５０２において連動モードの命令を送信した装置が所定のグループに属していると判断された場合（ステップＳ５０２：Ｙｅｓ）、連動モードの命令を送信した装置が所定の装置か否かを判断する（ステップＳ５０３）。ステップＳ５０３においては、具体的には、たとえば連動モードの命令を送信した装置がメイン操作ユニット３１０か否かを判断する。
【００７１】
ステップＳ５０３において連動モードの命令を送信した装置が所定の装置であると判断された場合（ステップＳ５０３：Ｙｅｓ）、連動防止スイッチ３１２がＯＮに設定されているか否かを判断する（ステップＳ５０４）。ステップＳ５０４において連動防止スイッチ３１２がＯＦＦに設定されている場合（ステップＳ５０４：Ｎｏ）、連動選択スイッチ３１１をＯＮに設定する（ステップＳ５０５）。そして、入力デバイス４１１による操作の入力に関わらず、ディスプレイ４１３やスピーカ４１０に、ステップＳ５０１において受け付けられた連動モードの命令に基づいて、コンテンツを出力して（ステップＳ５０６）、一連の処理を終了する。
【００７２】
一方、ステップＳ５０１において連動モードの命令を受け付けていない場合（ステップＳ５０１：Ｎｏ）、ステップＳ５０２において連動モードの命令を送信した装置が所定のグループに属してない場合（ステップＳ５０２：Ｎｏ）、ステップＳ５０３において連動モードの命令を送信した装置が所定の装置ではない場合（ステップＳ５０３：Ｎｏ）、連動防止スイッチ３１２がＯＮに設定されている場合（ステップＳ５０４：Ｙｅｓ）、連動選択スイッチをＯＦＦに設定する（ステップＳ５０７）。
【００７３】
そして、入力デバイス４１１によって、コンテンツの出力処理に関する操作の入力を受け付けているか否かを判断する（ステップＳ５０８）。ステップＳ５０８において、操作の入力を受け付けていると判断された場合（ステップＳ５０８：Ｙｅｓ）、ステップＳ５０８において受け付けていると判断された操作の入力に基づいて、コンテンツを出力して（ステップＳ５０９）、一連の処理を終了する。また、ステップＳ５０８において操作の入力を受け付けていると判断されない場合（ステップＳ５０８：Ｎｏ）、そのまま一連の処理を終了する。
【００７４】
なお、図５のフローチャートにおいては、ステップＳ５０４において、連動選択スイッチ３１１がＯＮに設定され、連動モードに切り替えた後に、連動防止スイッチ３１２がＯＮに設定されても、連動モードを継続するようにしてもよい。
【００７５】
（複数の操作ユニットを用いたコンテンツ出力システム）
つぎに、複数の操作ユニットを用いたコンテンツ出力システムについて説明する。図６および図７は、複数の操作ユニットを用いたコンテンツ出力システムについて示す説明図である。まず、図６に示すように、メイン操作ユニット３１０の備えるディスプレイ４１３ａやスピーカ４１０ａには、入力デバイス４１１ａの操作の入力に基づいて、コンテンツが出力されている。また、第２操作ユニット３２０〜第５操作ユニット３５０の備える各ディスプレイ４１３ｂ〜４１３ｅやスピーカ４１０ｂ〜４１０ｅには、それぞれの入力デバイス４１１ｂ〜４１１ｅの操作の入力に基づいて、それぞれメイン操作ユニット３１０とは異なるコンテンツが出力されている。
【００７６】
さらに、図６においては、メイン操作ユニット３１０および第２操作ユニット３２０〜第５操作ユニット３５０のいずれにも連動モードが設定されていないため、各操作ユニットの連動選択スイッチ３１１ａ〜３１１ｅは、全てＯＦＦに設定されている。そして、第２操作ユニット３２０の連動防止スイッチ３１２ｂおよび第４操作ユニット３４０の連動防止スイッチ３１２ｄはＯＦＦに設定され、第３操作ユニット３３０の連動防止スイッチ３１２ｃおよび第５操作ユニット３５０の連動防止スイッチ３１２ｅはＯＮに設定されていることとする。
【００７７】
つぎに、図７に示すように、メイン操作ユニット３１０から、第２操作ユニット３２０および第３操作ユニット３３０に連動モードの命令７０１を送信する。このようにすることで、メイン操作ユニット３１０の連動選択スイッチ３１１ａがＯＮに設定される。
【００７８】
また、第２操作ユニット３２０においては、メイン操作ユニット３１０から連動モードの命令７０１を受け付けると、連動防止スイッチ３１２ｂがＯＦＦに設定されているため、連動モードに切り替えられ、連動選択スイッチ３１１ｂがＯＮに設定される。したがって、第２操作ユニット３２０においては、メイン操作ユニット３１０で出力されているコンテンツと同一のコンテンツが出力される。
【００７９】
一方、第３操作ユニット３３０においては、メイン操作ユニット３１０から連動モードの命令７０１を受け付けると、連動防止スイッチ３１２ｃがＯＮに設定されているため、連動モードへの切り替えが防止され、連動選択スイッチ３１１ｃがＯＦＦに設定される。
したがって、第３操作ユニット３３０においては、連動モードに切り替えず、入力デバイス４１１ｃの操作の入力に基づいて、メイン操作ユニット３１０とは異なるコンテンツが出力される。
【００８０】
第４操作ユニット３４０および第５操作ユニット３５０においては、メイン操作ユニット３１０から連動モードの命令７０１を受け付けていないため、連動防止スイッチ３１２ｄ、３１２ｅの設定に関わらず、連動選択スイッチ３１１ｄ、３１１ｅがＯＦＦの設定のままとなり、入力デバイス４１１ｄ、４１１ｅの操作の入力に基づいて、メイン操作ユニット３１０とは異なるコンテンツが出力される。
【００８１】
なお、図６および図７においては、メイン操作ユニット３１０から連動モードの命令を送信したが、これに限るものではない。第２操作ユニット３２０〜第５操作ユニット３５０のいずれの装置から連動モードの命令を送信してもよい。したがって、メイン操作ユニット３１０が他の操作ユニットから連動モードの命令を受け付け、連動防止スイッチ３１２ａがＯＦＦに設定されている場合、メイン操作ユニット３１０を連動モードに切り替えるようにしてもよい。すなわち、メイン操作ユニット３１０に、他の操作ユニットで出力されているコンテンツと同一のコンテンツを出力させるようにしてもよい。
【００８２】
上述したように、本実施例の各操作ユニットによれば、他装置から連動モードの命令７０１を受け付けても、連動防止スイッチ３１２がＯＮに設定されていれば、連動モードに切り替えないことができる。これによって、利用者は、自身の所望しているコンテンツの出力を途中で中止したくない場合などは、自身の所望するコンテンツの出力を継続することができる。また、本実施例の各操作ユニットによれば、特定の装置または特定のグループに属している装置からの連動モードの命令７０１のみ受け付ける、または防止することができる。したがって、たとえば子供が座っている席に対して設置された操作ユニットからの連動モードの命令のみを防止することができる。これによって、利用者は、連動モードの誤操作を防止し、コンテンツの出力の誤動作を防ぐことができる。
【００８３】
以上説明したように、本発明のコンテンツ出力装置、コンテンツ出力システム、コンテンツ出力方法、コンテンツ出力プログラムおよび記録媒体によれば、各コンテンツ出力装置ごとに、他装置からの連動モードの命令を防止することができる。
【００８４】
なお、本実施の形態で説明したコンテンツ出力方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００８５】
１００  コンテンツ出力装置
１０１  出力部
１０２  操作部
１０３  受付部
１０４  特定部
１０５  判断部
１０６  選択部
１０７  制御部
１０８  送信部
【図１】
0005530665.tif 000002
【図２】
0005530665.tif 000003
【図３】
0005530665.tif 000004
【図４】
0005530665.tif 000005
【図５】
0005530665.tif 000006
【図６】
0005530665.tif 000007
【図７】
0005530665.tif 000008